(57)【要約】  【課題】  使い慣れていない使用者であっても、容易に操作できる画像形成装置の操作入力装置を提供する。  【解決手段】  画像形成動作毎に選択された機能を記憶する選択機能記憶手段と、前記選択機能記憶手段の記憶データに基づいて選択頻度の高い機能設定キーを判別する選択頻度判定手段とを設け、前記機能設定制御手段に、前記選択頻度判別手段により判別された最も選択頻度の高い機能設定キーを各階層の機能設定画面の所定の位置に区画表示するレイアウト変更手段を備えて、前記レイアウト変更手段の作動の可否を設定する表示モード選択手段を備えて、前記機能設定制御手段は、下位の機能設定画面における機能設定キーが選択されると上位の機能設定画面に自動切替するように構成される。  【選択図】  図７
2005254624.tif 000002
【特許請求の範囲】
【請求項１】
表示画面上に操作位置入力用の電極シートを配したタッチパネル式の表示部と、前記表示部に複数の機能設定キーが区画表示された機能設定画面を階層的に切替表示し、上位の機能設定画面で選択された機能に対して下位の機能設定画面で詳細を設定する機能設定制御手段とを備えて構成される画像形成装置の操作入力装置であって、
一連の画像形成動作毎に選択された機能を記憶する選択機能記憶手段と、前記選択機能記憶手段の記憶データに基づいて選択頻度の高い機能設定キーを判別する選択頻度判定手段とを設け、前記機能設定制御手段に、前記選択頻度判別手段により判別された最も選択頻度の高い機能設定キーを各階層の機能設定画面の所定の位置に区画表示するレイアウト変更手段を設けてある画像形成装置の操作入力装置。
【請求項２】
前記レイアウト変更手段の作動の可否を設定する表示モード選択手段を設けてある請求項１記載の画像形成装置の操作入力装置。
【請求項３】
前記機能設定制御手段は、下位の機能設定画面における機能設定キーが選択されると上位の機能設定画面に自動切替するように構成してある請求項１または２記載の画像形成装置の操作入力装置。
【請求項４】
前記レイアウト変更手段は、下位の機能設定画面から上位の機能設定画面に自動切替したときに、既に選択された機能設定キーを除き前記選択頻度判別手段により判別された最も選択頻度の高い機能設定キーを機能設定画面の所定の位置に区画表示するように構成してある請求項３記載の画像形成装置の操作入力装置。
【発明の詳細な説明】
【技術分野】
【０００１】
本発明は、表示画面上に操作位置入力用の電極シートを配したタッチパネル式の表示部を備えた複写機やファクシミリ等の画像形成装置の操作入力装置に関する。
【背景技術】
【０００２】
従来の表示部の一例として特許文献１に示すものが挙げられる。そして、複写機、ファクシミリ等の画像形成装置に備えられた操作入力装置には、タッチパネル式の表示部の一例である液晶表示装置等が用いられ、画像形成装置に備えられた複数の機能を効率的に設定できるように、複数の機能設定キーが区画表示された機能設定画面を階層的に切替表示し、上位の機能設定画面で選択された機能に対して下位の機能設定画面で詳細を設定する機能設定制御手段を備えたものがある。例えば、上位の機能設定画面で給紙段を選択する給紙段選択キーを操作すると、下位の画面で画像形成装置に準備されている複数の給紙段を個別に選択する複数の機能設定キーが表示される。
【０００３】
一方、タッチパネルを有するファクシミリ装置においては、タッチパネルの画面上に、２０〜３０の宛先電話番号を表示するワンタッチキーが表示され、画面を切り替えることにより、１００以上の宛先電話番号を登録可能としているものもある。このワンタッチキー機能によって頻繁に使用する宛先の送信操作手順を簡略化し、ファクシミリ装置の操作性を向上させている。そして、例えば、ワンタッチキーを使用する毎に宛先の使用回数を計数し、使用回数に基づいて使用頻度の高い宛先から順序付けを行い、その順序付けに従って使用頻度の高いものから、タッチパネル切り替え画面の１枚目の表示位置に順次変更する技術が提案されている。
【特許文献１】１９９７−２６１３８０号公報
【特許文献２】特開平０４−２２５６７３号公報
【発明の開示】
【発明が解決しようとする課題】
【０００４】
近年、複写機、ファクシミリ、プリンタなどの画像形成装置では、益々多くの機能が搭載され、使用者が選択する機能設定キーがタッチパネル上に多数表示される結果、使い慣れていない使用者ばかりでなく熟練した使用者であっても操作に混乱を来たすような状況にある。上述した複数の機能設定キーが区画表示された機能設定画面を階層的に切替表示するものでは、上位の階層から下位の階層に順次機能設定キーを順に操作することにより特定の機能が詳細に設定可能となるものであるが、上位の階層の中にも様々な機能設定キーが配列され、先ずどの機能設定キーを選択操作すべきなのか判断に困る場合も多くあり、さらに他の機能を選択する場合には下位の階層から上位の階層に戻るためのキー入力操作が必要になり操作が煩雑であるという問題もあった。
【０００５】
このような機能設定画面を階層的に切替表示するものの例として、複写倍率を等倍に、給紙段を２段目、両面原稿両面複写モード、露光モードを自動露光に夫々設定する場合を取り上げると、上位の機能設定画面で「等倍」キーを選択操作し、続いて「給紙段選択」キーを選択操作すると下位の機能設定画面に移行して「カセット２」を選択操作し、「初期画面へ戻る」キーを操作して上位の機能設定画面に戻り、さらに必要な操作を行なわなければならず、使い慣れていない使用者にとって必ずしも操作性がよいというものではなかった。
【０００６】
また、上述のファクシミリ装置のように、使用頻度によりタッチパネル画面上に表示される宛先の表示階層が変更されるものでは、使用者が使用したいキーを検索するのに手間取り操作時の負担になるという問題もあった。
【０００７】
本発明の目的は、上述の問題に鑑みて、使い慣れていない使用者であっても、容易に操作できる画像形成装置の操作入力装置を提供する点にある。
【課題を解決するための手段】
【０００８】
上述の目的を達成するため、本発明による画像形成装置の操作入力装置の第一の特徴構成は、特許請求の範囲の書類の請求項１に記載した通り、表示画面上に操作位置入力用の電極シートを配したタッチパネル式の表示部と、前記表示部に複数の機能設定キーが区画表示された機能設定画面を階層的に切替表示し、上位の機能設定画面で選択された機能に対して下位の機能設定画面で詳細を設定する機能設定制御手段とを備えて構成される画像形成装置の操作入力装置であって、一連の画像形成動作毎に選択された機能を記憶する選択機能記憶手段と、前記選択機能記憶手段の記憶データに基づいて選択頻度の高い機能設定キーを判別する選択頻度判定手段とを設け、前記機能設定制御手段に、前記選択頻度判別手段により判別された最も選択頻度の高い機能設定キーを各階層の機能設定画面の所定の位置に区画表示するレイアウト変更手段を設けてある点にある。
【０００９】
上述の構成によれば、レイアウト変更手段により最も選択頻度の高い機能設定キーが各階層の機能設定画面の所定の位置に区画表示されるので、慣れていない操作者であっても、機能設定画面の所定の位置、例えば画面の中央部に表示されている機能設定キーを目標として操作対象キーを特定することで、容易に操作対象キーを絞り込むことができるようになるのである。
【００１０】
同第二の特徴構成は、同請求項２に記載した通り、上述の第一特徴構成に加えて、前記レイアウト変更手段の作動の可否を設定する表示モード選択手段を設けてある点にあり、熟練した操作者や特有の設定操作を行なう操作者はレイアウト変更手段を作動させずにデフォルト設定された機能設定画面を直接操作でき、不慣れな操作者はレイアウト変更手段を作動させて第一特徴構成による手順で容易に操作ができるように、操作者の熟練度に応じて使い分けることが可能になるのである。
【００１１】
同第三の特徴構成は、同請求項３に記載した通り、上述の第一または第二特徴構成に加えて、前記機能設定制御手段は、下位の機能設定画面における機能設定キーが選択されると上位の機能設定画面に自動切替するように構成してある点にあり、下位の機能設定画面において所用の機能選択キーが操作された後に自動的に上位の機能設定画面に復帰するように構成することで、操作回数の低減が図られ、操作が容易になるのである。
【００１２】
同第四の特徴構成は、同請求項４に記載した通り、上述の三特徴構成に加えて、前記レイアウト変更手段は、下位の機能設定画面から上位の機能設定画面に自動切替したときに、既に選択された機能設定キーを除き前記選択頻度判別手段により判別された最も選択頻度の高い機能設定キーを機能設定画面の所定の位置に区画表示するように構成してある点にあり、このような構成により下位画面から自動復帰した上位画面の所定位置には常に未操作で且つ操作頻度の高いキーが表示されることになるので、操作者は常に画面の所定位置に表示されている機能設定キーを目標として操作対象キーを特定することができるようになるのである。
【発明の効果】
【００１３】
以上説明した通り、本発明によれば、使い慣れていない使用者であっても、容易に操作できる画像形成装置の操作入力装置を提供することができるようになった。
【発明を実施するための最良の形態】
【００１４】
以下に本発明による画像形成装置の操作入力装置の実施の形態を説明する。
【００１５】
図２に示すように、画像形成装置の一例であるカラー複写機１は、スキャナ部２、画像処理部３、ＬＳＵ４、画像形成部５、給紙搬送手段６、定着手段７、ＤＦ部８などの複数のプロセス制御部で構成されている。
【００１６】
前記ＤＦ部８は、原稿トレイ８１に載置された複数枚の原稿８０を１枚ずつスキャナ部２による原稿読取位置に搬送し、読取が終了した原稿を排紙トレイ８２に排出する。
【００１７】
前記スキャナ部２は、原稿に光をあて反射する光をＲＧＢのフィルタを介してＣＣＤイメージセンサ２１に送りここで電気信号に変換される。前記画像処理部３は前記ＣＣＤイメージセンサ２１からの信号を、Ａ／Ｄ変換、シェーディング補正、色調補正、その他画像処理を施した画像データに加工する部分である。前記ＬＳＵ４は前記画像処理３の画像データをレーザー光に変換し、感光体ドラム５１に照射する。
【００１８】
前記画像形成部５は、感光体ドラム５１、主帯電部５２、現像部５３、転写ベルト５４、クリーニング部５５、トナー回収手段５６、除電ランプ５７とからなり、特に現像部５３はシアン現像器５３１、マゼンタ現像器５３２、イエロー現像器５３３、ブラック現像器５３４、トナー回収容器５３５の４つの現像器を有している。前記主帯電器５２は感光体ドラム５１に向かって開口したシールドケース内に細いタングステン線を感光体ドラム５１の長手方向に張り、これに高圧を印加することにより前記感光体ドラム５１を正帯電させる。この帯電した前記感光体ドラム５１の表面にＬＳＵ４が画像情報に応じたレーザー光線を照射することにより感光体ドラム５１の表面に静電潜像が形成される。前記感光体ドラム５１のレーザーが照射された部分に前記現像手段５３内で撹拌されてプラス帯電したトナーに現像ローラのバイアス電圧と感光体ドラム表面の電位が作用することによりトナー像が形成されこれを前記転写ベルト５４の表面に転写する。前記感光体ドラム５１上の転写されなかったトナーは次のプロセスのクリーニング手段５５のゴムブレード５５１により掻き落とされて、表面の残留電位をおとして均一にすべく除電ランプ５７により除電されてその後は次の一連のプロセスに備える。
【００１９】
カラー画像出力モードの場合は上述の動作をシアン、マゼンタ、イエロー、ブラックの各色で行い前記転写ベルト５４上で重ねられ、このトナー像を２次転写部（５４１ａ，５４１ｂ）で用紙上に転写する。
【００２０】
モノクロ画像出力モードの場合は前記シアン現像器５３１、マゼンタ現像器５３２、イエロー現像器５３３は作動せず、ブラック現像器５３４のみで行う。
【００２１】
前記給紙搬送手段６は給紙カセット６１１，６１２、給紙ローラ６２１，６２２、垂直搬送路６３、レジストローラ対６４ａ，６４ｂ、搬送ベルト６５からなっている。前記給紙カセット６１１，６１２には用紙積載板がありこの上に複数の用紙が積載されており用紙積載板がバネ、又はリフトモータなどで積載された用紙の一番上の用紙が前記給紙ローラ６２１，６２２に接するように付勢する。前記レジストローラ対６４ａ，６４ｂは搬送されてきた用紙と前記画像形成部５の前記感光体ドラム５１のトナー像の転写のタイミングを合わせるためと、用紙先端を整えるために一端用紙を止めてから前記画像形成手段５へ用紙を搬送する役割をもつ。前記搬送ベルト６５は未定着トナーを転写された用紙を前記定着手段７に搬送する。またそれぞれの搬送路にある搬送ローラは適宜必要な本数がレイアウトされている。
【００２２】
前記定着手段７は、第１の熱ローラ７１とその内部の第１のヒータ７１１と、第２の熱ローラ７２その内部の第２のヒータ７２１、定着排出ローラ対７３ａ，７３ｂなどから構成される。前記熱ローラ対７１，７２は熱伝導性のよいアルミ等にフッ素コートを施したものを用い前記２つのヒータ７１１，７２１を内蔵することにより定着に必要な所定の温度に制御されている。前記第１の熱ローラ７１は前記第２の熱ローラ７２に対向し適当な圧力で接触し、駆動手段（図示していない）により駆動されている。この前記熱ローラ対７１，７２は基材が熱伝導性の良いアルミのローラからなり定着のニップ幅を確保するために周辺は弾性層で覆われている。また図示していないが各ローラに対しては用紙を剥がすための爪部材やクリーニングするローラやウェブを設けてある。
【００２３】
前記画像形成装置の操作入力装置９は、前記スキャナ部２の手前側に配置され、図３に示すように、中央部にカラー液晶表示画面９０を備え、その右側にコピー枚数などを設定する数値入力キー９１、スタートキー９２、クリア／ストップキー９３などの複写動作の基本制御キー群が配置され、画面９０の左側に原稿から読取った画像を用紙に出力するコピーモード、ネットワークに接続されたコンピュータ等からの出力データを用紙に印字出力するプリンタモード、原稿情報を読込むスキャナモードといった状態をＬＥＤ表示する状態表示部９４が配置され、画面９０の上部に特殊モード設定キー９５が夫々配置されている。
【００２４】
図１に示すように、前記操作入力装置９は、操作部に対する入出力制御を実行するとともに、上述のプロセス制御部に設けられたＣＰＵ（図示せず）に対して設定されたモードを送信するＣＰＵ９１１と、ＣＰＵ９１１による実行プログラムが格納されたＲＯＭ９１２と、ワーキングエリアとして使用されるＲＡＭ９１３と、入出力回路９１４とが内部バスを介して接続され、入出力回路９１４にはＬＥＤ表示ドライバー回路９１５、カラー液晶表示画面９０を駆動制御する液晶ドライバー回路９１６、後述の透明電極シートの押圧位置を検出するためのＡＤ変換回路９１７、各種のキー入力を受け付けるキーマトリクス入力回路９１８などを備えて構成されている。
【００２５】
図３に戻り、前記カラー液晶表示画面９０は、タッチパネル式の液晶表示装置で構成され、画面上部がメッセージ表示領域９０１として構成され、それより下方がモード設定キー領域９０２として構成され、モード設定キー領域９０２には、倍率、給紙段選択、露光レベルなどの複写動作の基本的な条件を設定する基本モード設定タブ９０３と、使用者が個別に設定登録可能なユーザー機能タブ９０４と、当該カラー複写機の動作モードが表示され、設定可能な機能リストタブ９０５と、プログラムタブ９０６の各種設定タブ領域と、各種の設定モードを個別に登録可能な機能登録キー９０７などが表示されるとともに、画面表面に設けられた透明電極シートを押圧することにより押圧された部位が検出可能に構成されている。従って、例えば基本モード設定タブ９０３上に表示されている給紙段選択部とそれに対応する透明電極シートとで、給紙段選択キーが構成される。
【００２６】
図７において、ユーザーがコピーを開始する際に、コピーの際利用したい機能をキー操作により選択し（Ｓ１）、実際にコピー動作が起動されると（Ｓ２）、その選択されたキー操作履歴は前記選択機能記憶手段により記憶され（Ｓ３）、所定の期間が経過すると（Ｓ４）、前記選択頻度判定手段により評価値が演算導出され（Ｓ５）、ユーザーが前記レイアウト変更手段の動作を起動させているときは、導出された評価値に従って、キーレイアウト変更手段により、キーのレイアウトが変更される。
【００２７】
ユーザーがキー操作のみを行い（Ｓ１）、実際にコピー動作を起動させないときは（Ｓ２）、そのキー操作履歴は前記選択機能記憶手段により記憶されることは無く、またキー操作履歴が、前記選択機能記憶手段により記憶されても（Ｓ３）、所定期間が経過しない場合には、前記選択頻度判定手段により評価値が演算導出されることは無い。
【００２８】
前記選択機能記憶手段は、操作されたキー選択動作の情報を格納するＲＡＭ９１３と当該ＲＡＭ９１３にデータを書き込むＣＰＵ９１１及びその周辺ハードウェアにより構成され、図３に示す基本モード設定タブにおけるキー操作に対して、装置の電源投入後の予め設定された所定の期間、例えば、１週間や１ヶ月など、操作されたキー毎に実際にそのモードでコピー動作に移行したものに限ってその操作回数をカウントしてＲＡＭ９１３に設定された操作履歴データ格納エリアに記憶するように構成される。
【００２９】
前記選択頻度判定手段は、前記選択機能記憶手段によりデータを書き込まれたＲＡＭ９１３からデータを読み込み、ＲＯＭ９１２に格納されたプログラムにより動作するＣＰＵ９１１により構成される。前記ＣＰＵ９１１により、所定期間の経過後に、最小操作回数のキーに対する各キーの操作回数の差分値を評価値として演算導出し、各キーの評価値が操作回数閾値で区切られた複数レベルのどの範囲に属するかを判別し、その情報をＲＡＭ９１３に格納する。
【００３０】
前記レイアウト変更手段は、前記選択頻度判定手段により判別され、ＲＡＭ９１３に格納された情報をＣＰＵ９１１により読み出し、評価値の最も高いキーを、表示される画面の中央部に配置する。例えば、基本モード設定タブの初期画面において、操作頻度の最も高いキーが選択された後の表示画面には評価値が２番目に高いキーが表示画面の中央部に表示される。即ち、選択されていないキーのうち評価値が最も高いキーが中央部に表示され、そのキーが選択された後の表示画面では、まだ選択されていないキーのうちで、最も評価値の高いキーが中央部に表示される。
【００３１】
前記表示モード変更手段はＲＯＭ９１２に格納された所定のプログラムと、そのプログラムを実行するＣＰＵ９１１により構成され、前記レイアウト変更手段の動作の可否を設定する。前記レイアウト変更手段の動作の可否は、使用者が個別に設定登録可能な、前記ユーザー機能タブ９０４において、コピー動作の開始前に設定することが出来る。
【００３２】
前記機能設定制御手段はＲＯＭ９１２に格納された所定のプログラムとそのプログラムを実行するＣＰＵ９１１により構成され、上位の機能設定画面で選択された機能に対して、下位の機能設定画面において詳細を設定できる手段を提供する。例えば、図４（ｂ）に示す基本モード設定タブの初期画面において給紙段選択キーが選択されると、図４（ｃ）に示される下位の給紙段選択画面が表示され、給紙段の選択を行うことが出来る。
【００３３】
またユーザー機能モード初期画面、機能リストモード初期画面、プログラムモード初期画面についても、同様に、評価値が演算導出され、操作回数を記憶し、表示制御されるように構成してもよい。さらに基本モード、ユーザー機能モード等の表示階層より下の表示階層である、露光モード選択画面、給紙段選択画面、両面モード選択画面等においても、同様に、評価値が演算導出され、操作回数を記憶し、表示制御されるように構成してもよい。
【００３４】
上述の実施形態においては、単に操作された回数をカウントするのではなく、選択されたモードで複写動作が行なわれた場合の操作回数をカウントすることが重要である。このように構成することにより、使用者が操作するときに、キーの区画領域の配置位置を目視して、視認性の高い表示画面中央部を操作していくことで標準的な設定操作がスムーズに行なえるように構成されている。
【００３５】
以下、図４、図５、図６において、倍率設定、給紙段選択設定、露光モード選択設定、両面モード選択設定を順に操作する場合について述べ、前記レイアウト変更手段による表示制御手順について具体的に説明する。
【００３６】
図４（ａ）に示す、基本モード設定タブの初期画面で、「給紙段選択、露光モード選択、両面モード選択、倍率ＵＰ、等倍、倍率ＤＯＷＮ、ソート、ステーブル、ＥＣＯ」キーの中で、後述する評価値のもっとも高い等倍キーが、中央部に配置されている。ユーザーが等倍キーを選択すると倍率の設定は完了し、自動的に初期画面に遷移する。
【００３７】
図４（ｂ）に示すように、等倍キー選択後における基本モード設定タブの初期画面では、評価値の２番目に高い給紙段選択キーが、中央部に配置される。給紙段選択キーを選択すると図４（ｃ）に示す、「カセット１、カセット２、カセット３、カセット４、カセット５、カセット６、自動選択」キーが表示される画面に遷移する。これらのキーで最も評価値の高いカセット２キーが中央部に配置されている。カセット２キーを選択すると、給紙段選択の設定は完了し、自動的に初期画面に遷移する。
【００３８】
図５（ａ）に示すように、等倍キー、給紙段選択キー設定後における基本モード設定タブの初期画面は、３番目に評価値の高い露光モード選択キーが、中央部に表示されている。露光モード選択キーを選択すると、図５（ｂ）に示す、「露光ＤＯＷＮ、自動露光、露光ＵＰ」キーが表示される画面に遷移する。これらのキーで最も評価値の高い自動露光が中央部に配置されている。自動露光を選択すると、露光モード選択の設定は完了し、自動的に初期画面に遷移する。
【００３９】
図５（ｃ）に示すように、等倍キー、給紙段選択キー、露光モード選択キーが設定された後における基本モード設定タブの初期画面では、評価値が４番目に高い両面モード選択キーが中央部に配置される。両面モード選択キーを選択すると、図６（ａ）に示す、「両面―片面、両面―両面、片面―両面」キーが表示される画面に遷移する。これらのキーで最も評価値の高い両面―両面が中央部に配置されている。両面―両面キーを選択すると、両面モード選択の設定が完了し初期画面に遷移する。
【００４０】
図６（ｂ）に示すように、等倍キー、給紙段選択キー、露光モード選択キー、両面モード選択キーが設定された後における基本モード設定タブの初期画面では、評価値が５番目に高いＥＣＯキーが中央部に配置される。
【００４１】
ここで初期画面に表示されるキーの内で選択をしていない残りのキーについて、特に設定を行わず、これらのキーに関する設定については、初期設定で印刷を行う場合、スタートキー９２を押すことで、印刷が開始される。
【００４２】
以下に別実施の形態を説明する。上述の実施形態ではキーマトリクスが３×３個の表示画面について説明したが、キーマトリクスがＭ×Ｎ個の表示画面についても同様である。（マトリクスの縦のキーの数をＭ、横のキーの数をＮとする。）この場合において評価値の高いキーが配置される中央部は、Ｍ、Ｎがともに偶数である場合、中央にある４つのキーを中央部とし、それら４つのキーのうちの所定の一箇所に、評価値の高いキーを配置する。Ｍが偶数、Ｎが奇数又はＭが奇数、Ｎが偶数の場合、中央の２つのキーを中央部とし、その２つのキーのうちで所定の一箇所に、評価値の高いキーを配置する。Ｍ、Ｎがともに奇数の場合、中央部を一つのキーとし、その箇所に評価値の高いキーを配置する。
【００４３】
上述の実施形態では、前記機能設定画面の所定の位置として、視認性の高い画面中央部に、評価値の高いキーが配置されるものについて説明したが、所定位置はユーザーの設定により、自由にユーザーが評価値の高いキーを配置する箇所を指定することができるものであってもよく、例えば、視認性の高い箇所として左側最上部箇所に評価値の高いキーが配置されるものであってもよい。
【００４４】
上述の実施形態は電源投入後の所定期間に作動するものを説明したが、作動時期や設定期間は操作部により設定可能に構成されるものであってもよい。
【００４５】
上述した実施形態では、複写機に構築されたタッチパネル式の操作入力装置について説明したが、これに限定されるものではなく、ファクシミリ、プリンタなどの他の電子機器のタッチパネル式の操作入力装置としても適用可能であることはいうまでもない。
【図面の簡単な説明】
【００４６】
【図１】操作入力装置のブロック構成図
【図２】複写機の動作説明図
【図３】設定操作部の説明図
【図４】設定操作部の遷移説明図
【図５】設定操作部の遷移説明図
【図６】設定操作部の遷移説明図
【図７】フローチャート
【符号の説明】
【００４７】
９１１：ＣＰＵ
９１２：ＲＯＭ
９１３：ＲＡＭ
９１８：キーマトリクス
９０：カラー表示画面
９０１：メッセージ表示領域
９０２：モード設定キー領域
【図１】
2005254624.tif 000003
【図２】
2005254624.tif 000004
【図３】
2005254624.tif 000005
【図４】
2005254624.tif 000006
【図５】
2005254624.tif 000007
【図６】
2005254624.tif 000008
【図７】
2005254624.tif 000009